(57)【要約】      （修正有）【課題】空調機部品用の梱包部材に関し、部品点数及び作業工数を削減する。【解決手段】梱包部材10は、爪片70a〜70dを有する段ボールトレイ20と、差込部53a〜53dを有する辺部緩衝材50a〜50dとを備えている。差込部53a〜53dは、辺部緩衝材50a〜50dにおいて、段ボールトレイ20の長辺側板22a,22c側の面に形成されている。爪片70a〜70dは、段ボールトレイ20の長辺側板22a,22cにおいて、差込部53a〜53dに対応する位置に形成されている。この爪片70a〜70dは、下向きに折り曲げられた状態で差込部53a〜53dへ差し込まれ、差込部53a〜53dの上面に接している。【選択図】図１
2013193750.tif 000002
【特許請求の範囲】
【請求項１】
段ボール材によって略直方体状に形成され、空調機部品が収納される箱体（15）と、
上記空調機部品と上記箱体（15）の側板との間に配置され、該側板に対向する上記空調機部品の対向部のみを支持する緩衝部材（50a〜50j）とを備えた空調機用梱包部材であって、
上記緩衝部材（50a〜50j）は、上記箱体（15）の側板側の面に凹状の差込部（53a〜53d）を有し、
上記箱体（15）の側板は、上記差込部（53a〜53d）に対応する位置に切り込みによって形成され、下向きまたは上向きに折り曲げられて上記差込部（53a〜53d）へ差し込まれる爪片（70a〜70d）を有し、
上記爪片（70a〜70d）は、下向きに折り曲げられる場合は、上記差込部（53a〜53d）へ差し込まれた状態で該差込部（53a〜53d）の上面に接するように形成され、上向きに折り曲げられる場合は、上記差込部（53a〜53d）へ差し込まれた状態で該差込部（53a〜53d）の下面に接するように形成されている
ことを特徴とする空調機用梱包部材。
【請求項２】
請求項１において、
上記爪片（70a〜70d）は、下向きに折り曲げられる場合は、折り目が上記差込部（53a〜53d）の上面と略同じ高さに形成され、上向きに折り曲げられる場合は、折り目が上記差込部（53a〜53d）の下面と略同じ高さに形成されている
ことを特徴とする空調機用梱包部材。
【請求項３】
請求項１または請求項２において、
上記爪片（70a〜70d）は、上記差込部（53a〜53d）への差込幅ｗ２が上記差込部（53a〜53d）の開口幅ｗ１と略同じに形成されている
ことを特徴とする空調機用梱包部材。
【発明の詳細な説明】
【技術分野】
【０００１】
本発明は、空調機部品を梱包する梱包部材に関し、特に、部品点数及び作業工数の削減に係るものである。
【背景技術】
【０００２】
従来より、空調機部品を保護するための梱包部材が知られている。例えば、特許文献１に開示の梱包部材は、室外機等を梱包するものであり、段ボール材からなる箱と発泡スチロールからなる緩衝材とを備えている。この梱包部材では、箱内において、空調機部品の角部が緩衝材によって覆われて支持される。
【０００３】
また、図８に示すように、天井埋込型の室内機の化粧パネル等、空調機部品（101）が板状である場合は、空調機部品（101）の角部を支持する緩衝材（140）の他に、空調機部品（101）の辺部を支持する緩衝材（150）が設けられる。こうすることにより、空調機部品（101）が撓んで破損するのを抑制することができる。
【先行技術文献】
【特許文献】
【０００４】
【特許文献１】特開２００９−００７０３２号公報
【発明の概要】
【発明が解決しようとする課題】
【０００５】
上述のように、板状の空調機部品（101）を角部の緩衝材（140）や辺部の緩衝材（150）によって支持する場合、角部の緩衝材（140）は、箱（120）の角部に配置するだけで拘束されるが、辺部の緩衝材（150）は拘束されず、横方向（側板が延びる方向）に動く虞がある。そこで、従来では、粘着剤や粘着テープ等によって、辺部の緩衝材（150）を箱（120）の側板や底板に固定していた。しかしながら、粘着という従来の固定方法では、部品点数と作業工数が増えてしまい、その結果、コストアップを招いてしまうという問題があった。さらに、粘着剤や粘着テープの付いた梱包部材は、環境適合性という観点からも問題であった。
【０００６】
本発明は、かかる点に鑑みてなされたものであり、その目的は、辺部の緩衝材を箱に貼着させずに固定することで、部品点数と作業工数とを削減し、さらに、梱包部材の環境適合性を高めることにある。
【課題を解決するための手段】
【０００７】
第１の発明は、段ボール材によって略直方体状に形成され、空調機部品が収納される箱体（15）と、上記空調機部品と上記箱体（15）の側板との間に配置され、該側板に対向する上記空調機部品の対向部のみを支持する緩衝部材（50a〜50j）とを備えた空調機用梱包部材を対象としている。そして、上記緩衝部材（50a〜50j）は、上記箱体（15）の側板側の面に凹状の差込部（53a〜53d）を有し、上記箱体（15）の側板は、上記差込部（53a〜53d）に対応する位置に切り込みによって形成され、下向きまたは上向きに折り曲げられて上記差込部（53a〜53d）へ差し込まれる爪片（70a〜70d）を有し、上記爪片（70a〜70d）は、下向きに折り曲げられる場合は、上記差込部（53a〜53d）へ差し込まれた状態で該差込部（53a〜53d）の上面に接するように形成され、上向きに折り曲げられる場合は、上記差込部（53a〜53d）へ差し込まれた状態で該差込部（53a〜53d）の下面に接するように形成されていることを特徴とする。
【０００８】
上記第１の発明では、横方向（箱体（15）の側板が延びる方向）に移動する虞のある緩衝部材（50a〜50j）を対象としている。この緩衝部材（50a〜50j）には、差込部（53a〜53d）が形成されている。そして、箱体（15）の側板に形成された爪片（70a〜70d）が、下向きまたは上向きに折り曲げられて、この差込部（53a〜53d）へ差し込まれている。
【０００９】
爪片（70a〜70d）が下向きに折り曲げられている場合は、爪片（70a〜70d）が差込部（53a〜53d）の上面に接している。そのため、折り曲げ前の状態に戻ろうとする爪片（70a〜70d）の復元力が差込部（53a〜53d）の上面に作用し、緩衝部材（50a〜50j）は上方へ押し付けられて、横方向に拘束される。一方、爪片（70a〜70d）が上向きに折り曲げられている場合は、爪片（70a〜70d）が差込部（53a〜53d）の下面に接している。そのため、折り曲げ前の状態に戻ろうとする爪片（70a〜70d）の復元力が差込部（53a〜53d）の下面に作用し、緩衝部材（50a〜50j）は下方へ押し付けられて、横方向に拘束される。
【００１０】
第２の発明は、上記第１の発明において、上記爪片（70a〜70d）は、下向きに折り曲げられる場合は、折り目が上記差込部（53a〜53d）の上面と略同じ高さに形成され、上向きに折り曲げられる場合は、折り目が上記差込部（53a〜53d）の下面と略同じ高さに形成されていることを特徴とする。
【００１１】
上記第２の発明では、爪片（70a〜70d）が下向きに折り曲げられて差込部（53a〜53d）の上面に接する場合は、その上面と略同じ高さに爪片（70a〜70d）の折り目が形成される。一方、爪片（70a〜70d）が上向きに折り曲げられて差込部（53a〜53d）の下面に接する場合は、その下面と略同じ高さに爪片（70a〜70d）の折り目が形成される。そのため、爪片（70a〜70d）は略直角に折り曲げられた状態で差込部（53a〜53d）の下面または上面に接することとなり、その接触面に作用する爪片（70a〜70d）の復元力が最も大きくなる。
【００１２】
第３の発明は、上記第１または第２の発明において、上記爪片（70a〜70d）は、上記差込部（53a〜53d）への差込幅ｗ２が上記差込部（53a〜53d）の開口幅ｗ１と略同じに形成されていることを特徴とする。
【００１３】
上記第３の発明では、爪片（70a〜70d）の差込幅ｗ２と差込部（53a〜53d）の開口幅ｗ１とが略同じであるため、爪片（70a〜70d）が差込部（53a〜53d）に差し込まれた状態において、爪片（70a〜70d）と差込部（53a〜53d）との間の幅方向（横方向）の隙間が無くなり、緩衝部材（50a〜50j）は横方向に一層拘束される。
【発明の効果】
【００１４】
本発明によれば、箱体（15）の側板に形成された爪片（70a〜70d）を、下向きまたは上向きに折り曲げて、緩衝部材（50a〜50j）の差込部（53a〜53d）へ差し込むようにした。そして、爪片（70a〜70d）が下向きに折り曲げ可能な場合は、その爪片（70a〜70d）を折り曲げた状態で差込部（53a〜53d）の上面に接するようにし、爪片（70a〜70d）が上向きに折り曲げ可能な場合は、その爪片（70a〜70d）を折り曲げた状態で差込部（53a〜53d）の下面に接するようにした。これにより、差込部（53a〜53d）の下面または上面に爪片（70a〜70d）の復元力を作用させて、緩衝部材（50a〜50j）を下方または上方へ押し付けることができ、緩衝部材（50a〜50j）を固定して横方向に拘束することができる。その結果、従来のように、粘着剤や粘着テープ等を用いて、緩衝部材（50a〜50j）を固定する必要がなくなり、部品点数及び作業工数を削減することができる。
【００１５】
上記第２の発明によれば、爪片（70a〜70d）が略直角に折り曲げられた状態で差込部（53a〜53d）の下面または上面に接するようにした。これにより、差込部（53a〜53d）の接触面に作用する爪片（70a〜70d）の復元力を最大にすることができ、緩衝部材（50a〜50j）をより強固に固定することができる。
【００１６】
上記第３の発明によれば、爪片（70a〜70d）の差込幅ｗ２と差込部（53a〜53d）の開口幅ｗ１を略同じにして、爪片（70a〜70d）と差込部（53a〜53d）との間の幅方向（横方向）の隙間を無くすようにした。これにより、緩衝部材（50a〜50j）を横方向に拘束した状態をより確実に形成することができる。
【図面の簡単な説明】
【００１７】
【図１】図１は、実施形態１に係る梱包部材の梱包前の状態を示す斜視図である。
【図２】図２は、実施形態１に係る梱包部材の梱包後の状態（上蓋を除く）を示す斜視図である。
【図３】図３は、実施形態１に係る爪片を差込部へ差し込む前の状態を示す要部断面図である。
【図４】図４は、実施形態１に係る爪片を差込部へ差し込んだ後の状態を示す要部断面図である。
【図５】図５は、実施形態１の変形例に係る爪片を差込部へ差し込んだ後の状態を示す要部断面図である。
【図６】図６は、実施形態２に係る爪片を差込部へ差し込んだ後の状態を示す要部断面図である。
【図７】図７は、実施形態２に係る爪片を差込部へ差し込んだ後の状態を示す要部断面図である。
【図８】図８は、その他の実施形態に係る梱包部材の梱包後の状態（上蓋を除く）を示す斜視図である。
【図９】図９は、従来の梱包部材の梱包後の状態（上蓋を除く）を示す斜視図である。
【発明を実施するための形態】
【００１８】
以下、本発明の実施形態について図面を参照しながら説明する。なお、以下の実施形態は、本質的に好ましい例示であって、本発明、その適用物、あるいはその用途の範囲を制限することを意図するものではない。
【００１９】
《発明の実施形態１》
本実施形態の梱包部材（10）は、空調機部品を梱包するためのものであり、具体的には、天井埋込型の室内機の一部である化粧パネル（1）を梱包するものである。この梱包部材（10）は、例えば、運搬中の化粧パネル（1）に物が接触したり、倉庫内に化粧パネル（1）を積み上げて保管しても、化粧パネル（1）が破損しないように構成されている。
【００２０】
〈梱包部材の全体構造〉
梱包部材（10）は、図１及び図２に示すように、段ボールトレイ（20）と上蓋（30）とを有する箱体（15）、４つの角部緩衝材（40a〜40d）、４つの辺部緩衝材（50a〜50d）、及び２つの保護板（60a,60b）を備えている。
【００２１】
段ボールトレイ（20）は、段ボール材によって形成された扁平な直方体状の箱である。この段ボールトレイ（20）は、長方形の底板（21）と該底板（21）の４辺からそれぞれ垂直方向に立ち上がる４つの側板（22a〜22d）とを有し、上側が開口している。この段ボールトレイ（20）は、扁平な略直方体状の化粧パネル（1）よりも一回り大きく形成されており、中に化粧パネル（1）が収納される。
【００２２】
この段ボールトレイ（20）には、４つの側板（22a〜22d）の内、底板（21）の長辺から立ち上がる２つの長辺側板（22a,22c）に、爪片（70a〜70d）が形成されている。尚、この爪片（70a〜70d）については後述する。
【００２３】
上蓋（30）は、段ボール材によって形成された扁平な直方体状の箱であり、段ボールトレイ（20）の開口を覆うものである。この上蓋（30）は、長方形の天板（31）と該天板（31）の４辺からそれぞれ垂直方向に立ち下がる４つの側板（32a〜32d）とを有し、下側が開口している。この上蓋（30）は、天板（31）の各辺が段ボールトレイ（20）の底板（21）の各辺よりも若干大きく形成されており、上から段ボールトレイ（20）へ被せられる。
【００２４】
角部緩衝材（40a〜40d）は、化粧パネル（1）の角部を覆って支持するものであり、発泡スチロール材によって略直方体状に形成されている。角部緩衝材（40a〜40d）の高さは、段ボールトレイ（20）の側板（22a〜22d）の高さと略同じになっている。この角部緩衝材（40a〜40d）は、段ボールトレイ（20）内において、４つの側板（22a〜22d）によって形成される４つの角部（23a〜23d）にそれぞれ配置される。各角部緩衝材（40a〜40d）は、段ボールトレイ（20）の角に合わせて配置され、段ボールトレイ（20）側の２つの側面が段ボールトレイ（20）の側板（22a〜22d）にそれぞれ接した状態で拘束される。
【００２５】
各角部緩衝材（40a〜40d）には、化粧パネル（1）を挟持する挟持部（41a〜41d）が形成されている。この挟持部（41a〜41d）は、化粧パネル（1）側の２つの側面の角部において、高さ方向の中程に凹設されている。この挟持部（41a〜41d）は、凹状の内面が化粧パネル（1）の角部の形状に合致するように形成されており、化粧パネル（1）の角部を嵌め込むことで、化粧パネル（1）の角部を上下から挟持する。
【００２６】
辺部緩衝材（50a〜50d）は、長辺側板（22a,22c）に対向する化粧パネル（1）の長辺部）の一部を覆って支持するものであり、本発明の緩衝部材を構成している。この辺部緩衝材（50a〜50d）は、発泡スチロール材によって略直方体状に形成されており、辺部緩衝材（50a〜50d）の高さは、段ボールトレイ（20）の側板（22a〜22d）の高さと略同じになっている。この辺部緩衝材（50a〜50d）は、各長辺側板（22a,22c）と化粧パネル（1）との間に等間隔に２つずつ配置され、１側面が長辺側板（22a,22c）に接している。
【００２７】
各辺部緩衝材（50a〜50d）には、化粧パネル（1）の長辺部の一部を挟持する挟持部（51a〜51d）が形成されている。この挟持部（51a〜51d）は、化粧パネル（1）側の側面において、高さ方向の中程に凹設されている。この挟持部（41a〜41d）は、凹状の内面が化粧パネル（1）の長辺部の形状に合致するように形成されており、化粧パネル（1）の長辺部を嵌め込むことで、化粧パネル（1）の長辺部を上下から挟持する。
【００２８】
また、各辺部緩衝材（50a〜50d）には、保護板（60a,60b）を取付けるための取付部（52a〜52d）が形成されている。この取付部（52a〜52d）は、各辺部緩衝材（50a〜50d）の上面に凹設されている。
【００２９】
保護板（60a,60b）は、短冊状に形成された木製の板材であって、上からの荷重に対して化粧パネル（1）を保護するものである。この保護板（60a,60b）は、段ボールトレイ（20）の短辺側板（22b,22d）と平行になるように延び、その一端が一方の長辺側板（22a）側の辺部緩衝材（50a,50b）の取付部（52a,52b）に嵌めこまれ、その他端が他方の長辺側板（22c）側の対向する辺部緩衝材（50c,50d）の取付部（52c,52d）に嵌めこまれている。
【００３０】
〈辺部緩衝材の取付構造〉
本実施形態の梱包部材（10）には、辺部緩衝材（50a〜50d）を段ボールトレイ（20）の長辺側板（22a,22c）に固定するため、辺部緩衝材（50a〜50d）に差込部（53a〜53d）が形成され、長辺側板（22a,22c）に爪片（70a〜70d）が形成されている。
【００３１】
差込部（53a〜53d）は、辺部緩衝材（50a〜50d）の長辺側板（22a,22c）側の側面において、中央付近に凹状に形成されている。この差込部（53a〜53d）は、略直方体状に形成されており、その開口は開口幅ｗ１が開口高さｈ１よりも長い横長の略長方形になっている。この差込部（53a〜53d）には、爪片（70a〜70d）が差し込まれる。
【００３２】
爪片（70a〜70d）は、各長辺側板（22a,22c）において、各辺部緩衝材（50a〜50d）の差込部（53a〜53d）に対応する位置に形成されている。この爪片（70a〜70d）は、略コの字状の切り込み線によって、切込幅（以下、差込幅と言う）ｗ２が切込高さ（折り曲げ長さ）L２よりも長い横長の略長方形状に形成されている。爪片（70a〜70d）の差込幅ｗ２は、差込部（53a〜53d）の開口幅ｗ１と略同じになっている。
【００３３】
爪片（70a〜70d）は、横方向に延びる折り目（71a〜71d）を基準に、段ボールトレイ（20）内へ下向きに折り曲げ可能になっている。この折り目（71a〜71d）は、差込部（53a〜53d）の上面と略同じ高さに位置している。そのため、爪片（70a〜70d）を折り曲げて差込部（53a〜53d）へ差し込むと、図４に示すように、爪片（70a〜70d）は略直角に折り曲げられた状態で差込部（53a〜53d）の上面に接する。
【００３４】
〈梱包作業の手順〉
上記構成において、化粧パネル（1）の梱包作業は以下の手順で行われる。
【００３５】
まず、化粧パネル（1）の各角部に角部緩衝材（40a〜40d）が嵌め込まれ、化粧パネル（1）の各長辺部に辺部緩衝材（50a〜50d）が嵌め込まれる。
【００３６】
次に、各緩衝材（40a〜40d,50a〜50d）を嵌め込んだ状態で、化粧パネル（1）が段ボールトレイ（20）内へ上から収容される。そして挿入後に、辺部緩衝材（50a〜50d）を長辺側板（22a,22c）に沿って移動させることで、辺部緩衝材（50a〜50d）の差込部（53a〜53d）を爪片（70a〜70d）に対応させる。
【００３７】
次に、２つの保護板（60a,60b）が各辺部緩衝材（50a〜50d）の取付部（52a〜52d）に嵌め込まれる。これにより、２つの保護板（60a,60b）が、化粧パネル（1）の上方において、短辺側板（22b,22d）に平行に且つ等間隔に並設される。
【００３８】
次に、爪片（70a〜70d）が折り曲げられる。爪片（70a〜70d）の折り曲げは、図３に示すように、長辺側板（22a,22c）を傾けて辺部緩衝材（50a〜50d）から離した状態で行われる。
【００３９】
次に、折り曲げられた爪片（70a〜70d）が差込部（53a〜53d）へ差し込まれると共に、長辺側板（22a,22c）が辺部緩衝材（50a〜50d）の側面に接した状態へ戻される。こうすることで、爪片（70a〜70d）は、図４に示すように、略直角に折り曲げられて差込部（53a〜53d）の上面に接した状態になる。この状態において、差込部（53a〜53d）の上面には、折り曲げ前の状態に戻ろうとする爪片（70a〜70d）の復元力Ｆが上向きに作用する。
【００４０】
そして最後に、段ボールトレイ（20）に上蓋（30）を被せて蓋をし、梱包作業が終了する。
【００４１】
−実施形態の効果−
本実施形態によれば、横方向（長辺側板（22a,22c）が延びる方向）に移動する虞のある辺部緩衝材（50a〜50d）を対象とし、その辺部緩衝材（50a〜50d）に差込部（53a〜53d）を形成するようにした。そして、長辺側板（22a,22c）の爪片（70a〜70d）を下向きに折り曲げて、差込部（53a〜53d）へ差し込み、さらに、折り曲げた状態で差込部（53a〜53d）の上面に接するようにした。これにより、爪片（70a〜70d）の復元力Ｆを差込部（53a〜53d）の上面に作用させて、辺部緩衝材（50a〜50d）を化粧パネル（1）や上蓋（30）へ押し付けることができ、辺部緩衝材（50a〜50d）を固定して横方向（長辺側板（22a,22c）が延びる方向）に拘束することができる。その結果、従来のように、粘着剤や粘着テープ等によって辺部緩衝材（50a〜50d）を固定する必要がなくなり、部品点数及び作業工数を減らすことができる。
【００４２】
また本実施形態によれば、爪片（70a〜70d）の折り目（71a〜71d）を差込部（53a〜53d）の上面と略同じ高さに形成するようにした。これにより、爪片（70a〜70d）を略直角に折り曲げて、差込部（53a〜53d）の上面に作用する爪片（70a〜70d）の復元力Ｆを最大にすることができ、辺部緩衝材（50a〜50d）をより強固に固定することができる。
【００４３】
また本実施形態によれば、爪片（70a〜70d）の差込幅ｗ２と差込部（53a〜53d）の開口幅ｗ１を略同じにして、爪片（70a〜70d）と差込部（53a〜53d）との間の幅方向（横方向）の隙間を無くすようにした。これにより、辺部緩衝材（50a〜50d）を横方向に拘束した状態をより確実に形成することができる。
【００４４】
また本実施形態では、辺部緩衝材（50a〜50d）を配置する際、爪片（70a〜70d）が目印となるため、辺部緩衝材（50a〜50d）の位置決め（この場合、等間隔に配置）を容易にすることができる。
【００４５】
〈実施形態１の変形例〉
上記実施形態１では、爪片（70a〜70d）の折り目（71a〜71d）が、差込部（53a〜53d）の上面と略同じ高さに形成され、爪片（70a〜70d）が略直角に折り曲げられた状態で差込部（53a〜53d）の上面に接している。しかし、爪片（70a〜70d）は、折り曲げられた状態で差込部（53a〜53d）の上面に接するものであれば良く、例えば、図５に示すように、爪片（70a〜70d）を直角よりも浅い角度で折り曲げた状態で、差込部（53a〜53d）の上面に接するようにしても構わない。
【００４６】
また、上記実施形態１では、辺部緩衝材（50a〜50d）が各長辺側板（22a,22c）に等間隔に２個ずつ配置されている。しかし、辺部緩衝材（50a〜50d）の配置と個数は、これに限られない。
【００４７】
《発明の実施形態２》
上記実施形態１では、爪片（70a〜70d）が下向きに折り曲げられた状態で、差込部（53a〜53d）の上面に接している。しかし、爪片（70a〜70d）の差込部（53a〜53d）への接触状態はこれに限らず、例えば、図６及び図７に示すように、爪片（70a〜70d）を上向きに折り曲げられた状態で、差込部（53a〜53d）の下面に接するようにしても構わない。この場合、爪片（70a〜70d）の復元力Ｆは、差込部（53a〜53d）の下面に作用する。そして、この復元力Ｆによって、辺部緩衝材（50a〜50d）は下方へ押し付けられて固定される。
【００４８】
《その他の実施形態》
上記実施形態については、以下のような構成にしてもよい。
【００４９】
上記実施形態の辺部緩衝材（50a〜50d）は、化粧パネル（1）と段ボールトレイ（20）の側板（22a〜22d）との間に配置され、該側板に対向する化粧パネル（1）の辺部のみを支持するものであれば、如何なる配置でも構わない。例えば、図８のように、辺部緩衝材（50e,50f）は、化粧パネル（1）と短辺側板（22b,22d）との間に配置しても良い。また、辺部緩衝材（50g〜50j）は、段ボールトレイ（20）の角部（23a〜23d）において、化粧パネル（1）と長辺側板（22a,22c）との間に配置して、化粧パネル（1）の長辺部のみを支持するようにしても良い。
【００５０】
また、上記実施形態では、１つの緩衝材によって、化粧パネル（1）の各部を上下から挟持している。しかし、緩衝材の形態はこれに限らず、化粧パネル（1）の上側及び下側に位置する２つの緩衝材によって、化粧パネル（1）の各部を上下から挟持するようにしても構わない。
【００５１】
また、上記実施形態の箱体（15）は、段ボールトレイ（20）の上側の開口を上蓋（30）によって蓋をするように構成されている。しかし、箱体（15）の構成はこれに限らず、例えば、上端の四辺に設けられたフラップによって蓋をする構成でも構わない。
【産業上の利用可能性】
【００５２】
以上説明したように、本発明は、空調機部品を梱包する空調機用梱包部材について有用である。
【符号の説明】
【００５３】
10        梱包部材（空調機用梱包部材）
15        箱体
50a〜50j  辺部緩衝材（緩衝部材）
53a〜53d  差込部
70a〜70d  爪片
【図１】
2013193750.tif 000003
【図２】
2013193750.tif 000004
【図３】
2013193750.tif 000005
【図４】
2013193750.tif 000006
【図５】
2013193750.tif 000007
【図６】
2013193750.tif 000008
【図７】
2013193750.tif 000009
【図８】
2013193750.tif 000010
【図９】
2013193750.tif 000011